(57)【要約】【課題】住宅に関する情報と結婚式に関する情報とを同時に提供することで、結婚に際する準備の煩雑さを解消する。【解決手段】結婚予定のカップルによって操作されるユーザー端末と、住宅についての情報と共に結婚式に関する情報を提供する情報提供サーバーとが、ネットワークを介して互いに接続されている住宅及び結婚式情報提供システムであって、住宅関連アイテムの中から希望するアイテム、結婚式関連アイテムの中から希望するアイテム、結婚及び住宅取得のために費やすことのできる費用の入力を促し、それらの情報を基に、データベースを参照しながら希望住宅や希望結婚式を実現するために必要な金額を算出し、住宅取得及び結婚式のために費やすことのできる費用を比較して、希望の結婚式及び住宅取得が実現可能か否かを判断する。【選択図】  図２
2006227759.tif 000002
【特許請求の範囲】
【請求項１】
結婚予定のカップルによって操作されるユーザー端末と、住宅に関する情報と共に結婚式に関する情報を提供する情報提供サーバーとが、ネットワークを介して互いに接続される住宅及び結婚式情報提供システムであって、
前記情報提供サーバーは、
住宅の外観及び間取りなどに関する住宅関連アイテムがそれに要する金額と対応付けられた状態で保持される住宅費用データベースと、
挙式や披露宴の様式やイベントなどに関する結婚式関連アイテムがそれに要する金額に対応付けられた状態で保持される結婚費用データベースと、
前記ユーザー端末に対し、前記住宅関連アイテムの中から希望するアイテムを希望住宅情報として入力することを促す希望住宅情報入力促進手段と、
前記ユーザー端末に対し、前記結婚式関連アイテムの中から希望するアイテムを希望結婚式情報として入力することを促す希望結婚式情報入力促進手段と、
前記ユーザー端末に対し、結婚及び住宅取得のために費やすことのできる費用を費用情報として入力することを促す費用情報入力促進手段と、
前記希望住宅情報と前記希望結婚式情報と前記費用情報とを、前記ユーザー端末から受信する受信手段と、
前記希望住宅情報を基に、前記住宅費用データベースを参照しながら、希望住宅を取得するのに必要な金額を算出する住宅取得費用算出手段と、
前記希望結婚式情報を基に、前記結婚費用データベースを参照しながら、希望の結婚式を行うために必要な金額を算出する結婚費用算出手段と、
前記結婚費用算出手段及び前記住宅取得費用算出手段から出力された金額と、前記費用情報とを比較して、希望の結婚式及び住宅取得が実現可能か否かを判断する判断手段と、
前記判断部から出力された結果をユーザー端末に対して表示する表示手段と、
を備えたことを特徴とする住宅取得を前提とした結婚情報提供システム。
【請求項２】
前記判断部は、
前記住宅取得費用算出手段とから出力された金額と、前記費用情報とを比較して、希望の住宅取得が可能か否かを判断する第1の判断部と、
第１の判断部において住宅取得が可能と判断された場合に、結婚費用算出手段から出力された金額と、前記費用情報から前記住宅費用算出手段から出力された金額を差し引いた値とを比較して、希望の結婚式が可能か否かを判断する第２の判断部と、
第１の判断部において住宅取得が不可能と判断された場合に、前記住宅費用データベースを参照して取得可能な住宅の外観及び間取りを抽出して取得可能住宅情報として出力する第３の判断部と、
を有することを特徴とする請求項１に記載の住宅及び結婚式情報提供システム。
【請求項３】
前記情報提供サーバーは、挙式や披露宴のスタイルやイベントを企画する結婚関連業者によって操作される複数の業者端末に、ネットワークを介して接続されており、
前記結婚費用データベースは、前記結婚関連業者ごとに、挙式や披露宴のスタイルやイベントに要する金額が設定されており、
前記結婚費用算出手段は、前記結婚関連業者毎に、希望の結婚式を行うのに必要な金額を算出し、
前記判断部は、前記結婚関連業者毎に希望の結婚式が実現可能か否かを判断することを特徴とする請求項１又は２に記載の住宅及び結婚式情報提供システム。
【請求項４】
前記情報提供サーバーは、
住宅の外観及び間取りに関する情報と対応付けられた画像が保持される住宅画像データベースを有し、
前記表示部は、前記住宅情報又は前記取得可能住宅情報を基に、前記住宅画像データベースを参照して、住宅の外観や間取りの画像を表示することを特徴とする請求項１〜請求項３のいずれか１つの請求項に記載の住宅及び結婚式情報提供システム。
【請求項５】
前記情報提供サーバーは、
出産などの結婚生活におけるイベントが生ずる時期に関するイベント情報の入力を促すイベント情報入力促進手段と、該イベント情報と対応付けられた画像が保持されるイベント画像データベースと、を有し、
前記表示部は、前記イベント情報を基に、前記イベント画像データベースを参照して、結婚生活におけるイベントを示す画像を抽出し、それを前記住宅の外観や間取りの画像に組み込んで表示することを特徴とする請求項１〜請求項４のいずれか１つの請求項に記載の住宅及び結婚式情報提供システム。
【請求項６】
前記費用情報入力促進手段では、住宅取得頭金、ローンの返済可能額などに関するローン情報を入力することを促し、このローン情報に基づいて前記費用情報が算出され、前記判断部によって希望の結婚式及び住宅取得が実現可能か否かが判断されることを特徴とする請求項１〜請求項５のいずれか１つの請求項に記載の住宅及び結婚式情報提供システム。
【発明の詳細な説明】
【技術分野】
【０００１】
本発明は、住宅に関する情報と結婚式に関する情報とを同時に提供することで、結婚に際する準備の煩雑さを解消し、個性あふれる結婚式を実現すると共に、これからの結婚生活をシミュレートするシステムに関する。
【背景技術】
【０００２】
近年のブライダル産業の興隆と共に、結婚に関する様々な情報がネットワークを介して提供されている。
例えば、結婚前のカップルが希望する結婚式のスタイルやイベント等に関する情報を予め提示しておき、その希望を充たす結婚式を実施するための価格の見積りを複数の結婚式実施業者から同時に取得し、カップルはその価格見積りから結婚式実施業者を選択することで、結婚式実施業者との契約交渉が開始されるというシステム（特開２００２−１８９８３３号公報）が提案されている。
【０００３】
また、予算内で希望する雰囲気と内容の挙式・披露宴・二次会等について一括したプランを提供すべく、ホームページ上で挙式や披露宴の演出や運営を一括して立案・掲示を行い、提携業者との連絡の上、結婚式を実行するシステム（特開２００４−１７８５２７号公報）も提案されている。
さらに、カップルが結婚式及び披露宴での衣装を着た自分の分身を端末上でシミュレートするシステム等も提案されている（特開２００４−３２６５３２号公報）。
【特許文献１】特開２００２−１８９８３３号公報
【特許文献２】特開２００４−１７８５２７号公報
【特許文献３】特開２００４−３２６５３２号公報
【発明の開示】
【発明が解決しようとする課題】
【０００４】
しかしながら、結婚生活において最初に考えなければいけないことが住居の問題であるにも関わらず、住宅に関する情報は、結婚式とは切り離した状態で提供されることが多い。
このため、結婚前のカップルにとって、結婚に関する情報と住居に関する情報とを別個のメディアから得る必要があった。
【０００５】
また、結婚式に要する費用と住宅取得に要する費用との双方を考慮に入れて計画を進めなければいけないという煩雑さもあった。
一方、近年、ハウスウエディングやレストランウエディングなどが提案され、このようなオリジナルな結婚式がカップルの個性を表現する手段として受け入れられつつあるが、住宅問題を抱えながら、結婚式のための企画を練るのは、結婚前の忙しいカップルにとって非常に困難であった。
【０００６】
そこで、住宅に関する情報と結婚式に関する情報とを同時に提供することで、結婚に際する準備の煩雑さを解消すると共に、個性あふれる新たな形式の結婚式を提案すること目的とする。
【課題を解決するための手段】
【０００７】
上記課題を解決するために、本発明に係る住宅及び結婚式情報提供システムは、結婚予定のカップルによって操作されるユーザー端末と、住宅に関する情報と共に結婚式に関する情報を提供する情報提供サーバーとが、ネットワークを介して互いに接続される住宅及び結婚式情報提供システムであって、前記情報提供サーバーは、住宅の外観及び間取りなどに関する住宅関連アイテムがそれに要する金額と対応付けられた状態で保持される住宅費用データベースと、挙式や披露宴の様式やイベントなどに関する結婚式関連アイテムがそれに要する金額に対応付けられた状態で保持される結婚費用データベースと、前記ユーザー端末に対して前記住宅関連アイテムの中から希望するアイテムを希望住宅情報として入力することを促す希望住宅情報入力促進手段と、前記ユーザー端末に対して前記結婚式関連アイテムの中から希望するアイテムを希望結婚式情報として入力することを促す希望結婚式情報入力促進手段と、前記ユーザー端末に対して結婚及び住宅取得のために費やすことのできる費用を費用情報として入力することを促す費用情報入力促進手段と、前記希望住宅情報と前記希望結婚式情報と前記費用情報とを、前記ユーザー端末から受信する受信手段と、前記希望住宅情報を基に前記住宅費用データベースを参照しながら希望住宅を取得するのに必要な金額を算出する住宅取得費用算出手段と、前記希望結婚式情報を基に前記結婚費用データベースを参照しながら希望の結婚式を行うために必要な金額を算出する結婚費用算出手段と、前記結婚費用算出手段及び前記住宅取得費用算出手段から出力された金額と前記費用情報とを比較して希望の結婚式及び住宅取得が実現可能か否かを判断する判断手段と、前記判断部から出力された結果をユーザー端末に対して表示する表示手段と、を備えたことを特徴とするものである。
これによって、結婚や住宅取得のために費やすことのできる費用情報を基に、希望の結婚式や住宅取得が可能か否かを判断するので、結婚式に関する情報と住宅に関する情報とを同時に得ることができ、双方を考慮にいれた判断が可能となる。
【０００８】
本発明において、前記判断部は、前記住宅取得費用算出手段とから出力された金額と、前記費用情報とを比較して、希望の住宅取得が可能か否かを判断する第1の判断部と、第１の判断部において住宅取得が可能と判断された場合に、結婚費用算出手段から出力された金額と、前記費用情報から前記住宅費用算出手段から出力された金額を差し引いた値とを比較して、希望の結婚式が可能か否かを判断する第２の判断部と、第１の判断部において住宅取得が不可能と判断された場合に、前記住宅費用データベースを参照して取得可能な住宅の外観及び間取りを抽出して取得可能住宅情報として出力する第３の判断部と、を有することとしてもよい。
これによって、希望の住宅を取得することが不可能と判断された場合でも、取得可能な住宅の外観及び間取りの提案を受けることができる。
【０００９】
本発明において、前記情報提供サーバーは、挙式や披露宴のスタイルやイベントを企画する結婚関連業者によって操作される複数の業者端末に、ネットワークを介して接続されており、前記結婚費用データベースは、前記結婚関連業者ごとに、挙式や披露宴のスタイルやイベントに要する金額が設定されており、前記結婚費用算出手段は、前記結婚関連業者毎に、希望の結婚式を行うのに必要な金額を算出し、前記判断部は、前記結婚関連業者毎に希望の結婚式が実現可能か否かを判断することとしてもよい。
これによって、複数の結婚関連業者の企画による結婚式のプランを得ることができる。
【００１０】
本発明において、前記情報提供サーバーは、住宅の外観及び間取りに関する情報と対応付けられた画像が保持される住宅画像データベースを有し、前記表示部は、前記住宅情報又は前記取得可能住宅情報を基に、前記住宅画像データベースを参照して、住宅の外観や間取りの画像を表示することとしてもよい。
これによって、住宅画像データベースを参照して、希望する住宅の外観や間取りが表示されるので、あたかも、その住宅で実際に生活をしているようなイメージを描くことができる。
【００１１】
本発明において、前記情報提供サーバーは、出産などの結婚生活におけるイベントが生ずる時期に関するイベント情報の入力を促すイベント情報入力促進手段と、該イベント情報と対応付けられた画像が保持されるイベント画像データベースと、を有し、前記表示部は、前記イベント情報を基に、前記イベント画像データベースを参照して、結婚生活におけるイベントを示す画像を抽出し、それを前記住宅の外観や間取りの画像に組み込んで表示することとしてもよい。
これによって、あたかもその住宅で繰り広げられる結婚生活を体験しているかのごとく、イメージを膨らますことができる。
【００１２】
本発明において、前記費用情報入力促進手段では、住宅取得頭金、ローンの返済可能額などに関するローン情報を入力することを促し、このローン情報に基づいて前記費用情報が算出され、前記判断部によって希望の結婚式及び住宅取得が実現可能か否かが判断されることとしてもよい。
これによって、具体的な費用計画に基づいた住宅取得計画を練ることができる。  
【発明の効果】
【００１３】
本発明によれば、住宅に関する情報と結婚に関する情報とを同時に得ることができ、結婚に際する準備の煩雑さが解消される。
【発明を実施するための最良の形態】
【００１４】
本発明は、ネットワーク上で、結婚予定のカップルから、希望の住宅、希望の結婚式、及び住宅取得と結婚式のために費やすことのできる費用に関する情報を得て、希望住宅の取得及び結婚式が実現可能か否かを判断し、その判断結果を出力することで、住宅に関する情報と結婚式に関する情報とを同時に提供するシステムに関するものである。
以下、本発明の実施形態を、図面を用いて説明する。
【実施例１】
【００１５】
図１は、本発明の第１実施形態に係る住宅及び結婚式情報提供システム１が適用されるネットワークシステムを示す模式図である。
ネットワークとしてのインターネット２に対し、ユーザー端末３と、業者端末４と、情報提供サーバー１０とが接続されている。
【００１６】
このユーザー端末３は、結婚予定のカップルによって操作される情報処理端末であって、インターネット２を介して情報提供サーバー１０のユーザー用のホームページに自由にアクセスできる閲覧ソフト（例えば、ブラウザ）を組み込んでいる。
業者端末４は、挙式や披露宴のスタイルやイベントを企画する結婚関連業者によって操作される情報処理端末であって、同様に、情報提供サーバー１０の業者用のホームページに自由にアクセスできる閲覧ソフトを組み込むと共に、電子メールの送受信機能を有している。
【００１７】
情報提供サーバー１０は、本発明に係る住宅及び結婚式情報提供システム１を提供する事業者によって管理される情報処理情報端末であって、ユーザー向けのホームページを公開する手段１１ａと、結婚関連業者向けのホームページ公開手段１１ｂを有する。
この情報提供サーバー１０のユーザー向けホームページにおいては、特定地域における住宅の分譲販売に関する情報が提示されている。この住宅販売は、結婚予定のカップルを対象とするものであり、地域内の一区画に設けられた挙式用の建物（チャペルなど）で結婚式を行い、新居のお披露目も兼ねた披露宴を執り行うというサービスを付加したものであり、住宅取得を前提として、新たなスタイルの結婚式を提案しようとするものである。なお、このサービスには、複数の結婚関連業者が提携しており、夫々の業者は、情報提供サーバの有する業者用のホームページを介して、自己の企画を提案することができる。情報提供サーバは、結婚関連業者の企画に基づいて後述する結婚費用データベースを更新する。
【００１８】
情報提供サーバー１０の内部には、図２に示すように、インターネット上にホームページを公開すると共に、ホームページ上で入力操作された情報を受信し、かつ各端末と各種の情報交換を実施する通信インタフェース１２が設けられている。
さらに、この情報提供サーバー１０は、住宅費用データベースＤ１と、結婚費用データベースＤ２と、住宅画像データベースＤ３と、イベント画像データベースＤ４と、を有すると共に、希望住宅情報受信手段２０、希望結婚式情報受信手段２１、費用情報受信手段２２、住宅取得費用算出手段３０、結婚費用算出手段３１、判断手段４０及び表示手段５０としての機能し得るＣＰＵとメモリを有している。
【００１９】
住宅費用データベースＤ１は、図３に示すように、住宅の外観及び間取りに関する住宅関連アイテムが、それに要する金額と対応付けられた状態で保持されている。
結婚費用データベースＤ２は、図４に示すように、挙式や披露宴の様式、及びその中で実施されるイベント（指輪交換、宣誓など）に関する結婚式関連アイテムが、それに要する金額に対応付けられた状態で保持されている。この場合、挙式や披露宴の様式等及びその金額は、結婚式を企画する結婚関連業者毎に設定されている。結婚関連業者は、情報提供サーバーが公開する結婚関連業者用のホームページを介し、金額を随時変更できるようになっている。
【００２０】
住宅画像データベースＤ３には、図５及び図６に示すように、住宅の外観及び間取りに関する情報と対応付けられた画像が保持されている。
イベント画像データベースＤ４には、図７に示すように、出産などのイベントに応じた家族の画像が、年月の経過に対応した状態で保持されている。
【００２１】
ユーザー端末４によってアクセス可能なユーザー用のホームページには、図８に示すような、入力フォームを備える。この入力フォームは、希望住宅情報入力促進手段１３、希望結婚式情報入力促進手段１４、費用情報入力促進手段１５、イベント情報入力手段１６として機能するものであり、ユーザー端末を操作するカップルに対し、希望する住宅のスタイルや間取りに関する希望住宅情報、希望する結婚式に関する希望結婚式情報、準備可能な頭金やローンの金額等の費用情報、子供の出産などの人生設計に関する情報などの入力を促す。この際、住宅などに関するアイテムは、サーバー内に保持される住宅画像データベースＤ３などによって保持される画像情報として表示され、その画像の上をクリックすることによって、希望の住宅を選択するようになっている。
【００２２】
図２に示す希望住宅情報受信手段２０は、前記ユーザー端末から入力フォームを介して入力された希望住宅情報を受信し、後述する住宅取得費用算出手段３０に出力する。
希望結婚式情報受信手段２１は、前記ユーザー端末から入力フォームを介して入力された希望結婚式情報を受信し、後述する結婚費用算出手段３１に出力する。
費用情報受信手段２２は、前記ユーザー端末から入力フォームを介して入力された費用情報を受信し、後述する住宅取得費用算出手段と結婚費用算出手段とに出力する。この場合、カップルのそれぞれが準備できる頭金と、月々支払い可能なローン額等とを入力すれば、内部の処理装置によって所定の演算が施され、その合計額から取得可能な住宅の金額が費用情報Ｍ１として出力されるようになっている。
【００２３】
住宅取得費用算出手段３０は、希望住宅情報受信手段２０から出力された希望住宅情報を基に、住宅費用データベースＤ１を検索し、その外観及び間取りに対応する金額を抽出する。
結婚費用算出手段３１は、前記希望結婚式情報を基に、前記結婚費用データベースＤ２を参照しながら希望の結婚式を行うために必要な金額を算出する。この場合、最も安い金額を提示する結婚関連業者のデータを採用する。
【００２４】
判断手段４０は、前記結婚費用算出手段３１と前記住宅取得費用算出手段３０とから入力された金額と、前記費用情報とを比較して、希望の結婚式及び住宅取得が実現可能か否かを判断するもので、第１の判断部４１と第２の判断部４２と第３の判断部４３とを含んで構成される。以下、判断手段における処理の流れを図９を参照して説明する。
第1の判断部４１は、前記住宅取得費用算出手段３０とから入力された金額Ｍ２と、前記費用情報の金額Ｍ１とを比較して、希望の結婚式及び住宅取得が実現可能か否かを判断する（step１）。
【００２５】
第1の判断部４１によって住宅取得が可能と判断された場合には第２の判断部４２へと進む。
第２の判断部４２では、結婚費用算出手段から入力された金額Ｍ３と、前記費用情報から前記住宅費用算出手段から出力された金額を差し引いた値（Ｍ１−Ｍ２）とを比較して、希望の結婚式が可能か否かを判断する（step２）。
第３の判断部４３は、第1の判断部４１によって、住宅取得が不可能と判断された場合に、前記住宅費用データベースＤ１を参照して取得可能な住宅の外観及び間取りを抽出して取得可能住宅情報として出力する（step３）。
【００２６】
表示手段５０は、判断手段から出力された結果を、インターネットを介してユーザー端末に表示する。
この場合、住宅の外観や間取りの画像は、住宅画像データベースＤ３を検索し、希望住宅情報又は取得可能住宅情報に対応するものを抽出する。そして、その画像に、カップルの１０年後、２０年後の姿をシミュレートした画面を合成し、図１０に示すような画面として表示する（step４）。この場合、カップルの１０年後、２０年後の画像は、イベント画像データベースＤ４を検索し、入力フォームから入力されたイベント情報に対応するものを抽出するものとする。
【００２７】
なお、第１の判断部４１における判断（Step２）において、取得可能な住宅が存在しない場合は、最も安い住宅を購入するのに必要な頭金の額を表示する（step５）。
また、第２の判断部４２における判断（Step３）において、結婚式費用が足りない場合は、結婚関連業者に対し電子メールを送信し、予算内で可能な結婚式の企画を募集する（step６）。
【００２８】
上記構成の住宅及び結婚式情報提供システムの使用状態を、図１１に示すフローチャートに基づいて説明する。
結婚予定のカップルは、先ず、情報提供サーバーのホームページにアクセスして、希望住宅情報、希望結婚情報、費用情報、イベント情報を入力するための入力フォームを取得する。
【００２９】
そして、この入力フォームに必要事項を入力して、情報提供サーバーに送信する。
この入力フォームが受信されることによって、希望住宅を取得するために必要な金額と、希望結婚式を挙げるのに必要な費用とが算出される。そして、この金額と、カップルが準備可能な費用（即ち、費用情報に基づいて求められた金額）とを比較して、住宅取得が可能か否かが判断される。
【００３０】
住宅取得が可能と判断された場合は、住宅取得後の残高で結婚式を行うことが可能か否かが判断される。住宅と結婚式が可能な場合は、希望する住宅を背景とした結婚生活の様子を、イベント情報データベースを検索して抽出し、画像情報として出力する。
住宅取得は可能だが、希望の結婚式は不可能であると判断された場合は、住宅販売に付随するサービスとして提供される無償の結婚式（即ち、分譲販売される住宅地の特定区画に設置されたチャペル等での挙式）の様子を示した画像が表示される。この際、提携する結婚業者に対して電子メールを送信し、結婚式のイベント等の企画を募り、予算の範囲内でカップルの要望に即した結婚式が実現できるようにする。
【００３１】
一方、住宅取得自体が不可能であると判断された場合は、カップルが準備できる金額の範囲で取得可能な住宅を抽出する。その場合も、住宅販売に付随するサービスとして提供される、無償の結婚式の様子を示した画像を表示する。
カップルが準備可能な金額では、取得できる住宅が存在しない場合は、最も安い住宅を取得するために必要な頭金の額を表示する。
【００３２】
このように、本実施形態に係る住宅及び結婚式情報提供システムによれば、住宅取得に関する情報と、結婚に関する情報とが同時に提供されるので、結婚準備の負担が軽減されると共に、結婚生活をイメージ化することができる。また、地域内に設けられた挙式用の敷地は、その後、家族と共に成長し続ける公園（メモリアルガーデン）として機能する。この公園は、子供の遊ぶ姿が各戸から見られるようにするためのネットモニタシステム、この地域に住まう人しか利用できない公園にするための指紋セキュリティーシステムを備えたものとすることもできる。
【実施例２】
【００３３】
図１２は、本発明の第２実施形態に係る住宅及び結婚式情報提供システム１’が適用されるネットワークシステムを示す模式図である。ネットワークとしてのインターネット２’に対し、ユーザー端末３’と、情報提供サーバー１０’とが接続されている。即ち、結婚関連業者の端末がネットワークに組み込まれていない点で第１実施形態に係る住宅及び結婚式情報提供システムと相違する。
また、結婚費用データベースＤ２’に保持される結婚式の様式等及びその金額が、図１３に示すように、単一の提携業者による価格である点において、そして、図１４に示すように、判断手段４０’としてのＣＰＵでの処理において、第１実施形態に係る住宅及び結婚式情報提供システムのものと相違する。以下、第１実施形態に係る情報提供サーバーの動作との相違点のみ説明する。
【００３４】
判断手段４０’は、前記結婚費用算出手段３１と前記住宅取得費用算出手段３０とから入力された金額の総和（Ｍ２＋Ｍ３）と、費用情報Ｍ１とを比較して、希望の結婚式と住宅取得が実現可能か否かを判断する（step１’）。
そして、住宅取得及び結婚式が可能と判断された場合には、希望住宅情報を基にして住宅画像データベースから取得した住宅の外観や間取りの画像が、表示手段５０’よって表示される（step２’）。不可能と判断された場合は、費用情報を基に住宅費用データベースを参照して取得可能な住宅が抽出され(step３’）、表示手段５０’によって表示される（step４’）。取得可能な住宅が存在しない場合は、取得のために必要な頭金の金額が表示される。（step５’）。
【００３５】
本実施形態に係る住宅及び結婚式情報提供システムによっても、住宅取得に関する情報と、結婚に関する情報とが同時に提供されるので、結婚準備に要する負担が軽減されると共に、結婚生活をイメージ化することができる。
【図面の簡単な説明】
【００３６】
【図１】本発明の第1実施形態に係る住宅及び結婚式情報提供システムの模式図である。
【図２】上記住宅及び結婚式情報提供システムの情報提供サーバーの構成を示すブロック図である。
【図３】住宅費用データベースの構造を示す説明図である。
【図４】結婚費用データベースの構造を示す説明図である。
【図５】住宅画像データベース（住宅の外観）の構造を示す説明図である。
【図６】住宅画像データベース（住宅の間取り）の構造を示す説明図である。
【図７】イベント画像データベースの構造を示す説明図である。
【図８】ユーザー用のホームページの入力フォームを示す説明図である。
【図９】判断手段における処理を示すフローチャートである。
【図１０】表示手段によって表示される画像を示す説明図である。
【図１１】上記住宅及び結婚式情報提供システムの使用状態を示すフローチャートである。
【図１２】本発明の第２実施形態に係る住宅及び結婚式情報提供システムの模式図である。
【図１３】上記住宅及び結婚式情報提供システムの結婚費用データベースの構造を示す説明図である。
【図１４】上記住宅及び結婚式情報提供システムの判断手段における処理を示すフローチャートである。
【符号の説明】
【００３７】
１、１’…住宅及び結婚式情報提供システム
２、２’…インターネット
３、３’…ユーザー端末
４…業者端末
１０、１０’…情報提供サーバー
１１…ホームページ
１２…通信インタフェース
１３…希望住宅情報入力促進手段
１４…希望結婚式情報入力促進手段
１５…費用情報入力促進手段
１６…イベント情報入力手段
２０…希望住宅情報受信手段
２１…希望結婚式情報受信手段
２２…費用情報受信手段
３０…住宅取得費用算出手段
３１…結婚費用算出手段
４０、４０’…判断手段
５０、５０’…表示手段
Ｄ１…住宅費用データベース
Ｄ２…結婚費用データベース
Ｄ３…住宅画像データベース
Ｄ４…イベント画像データベース
【図１】
2006227759.tif 000003
【図２】
2006227759.tif 000004
【図３】
2006227759.tif 000005
【図４】
2006227759.tif 000006
【図５】
2006227759.tif 000007
【図６】
2006227759.tif 000008
【図７】
2006227759.tif 000009
【図８】
2006227759.tif 000010
【図９】
2006227759.tif 000011
【図１０】
2006227759.tif 000012
【図１１】
2006227759.tif 000013
【図１２】
2006227759.tif 000014
【図１３】
2006227759.tif 000015
【図１４】
2006227759.tif 000016